(57)【要約】【課題】汚染土壌内の地下水の温度を管理できる土壌浄化システムを提供すること。【解決手段】土壌浄化システムは、汚染土壌６の温度より高温とされ汚染土壌６を浄化する注入水を前記汚染土壌へ注入する注入井戸１と、汚染土壌に注入井戸１から離れて設けられ、地下水を揚水する揚水井戸２と、汚染土壌６の温度に応じて注入水の熱量を制御する第１制御装置（制御装置７）と、を備える。【選択図】図１
2020093225.tif 000002
【特許請求の範囲】
【請求項１】
汚染土壌の温度より高温とされ前記汚染土壌を浄化する注入水を前記汚染土壌へ注入する注入井戸と、
前記汚染土壌に前記注入井戸から離れて設けられ、地下水を揚水する揚水井戸と、
前記汚染土壌の温度に応じて前記注入水の熱量を制御する第１制御装置と、
を備えた土壌浄化システム。
【請求項２】
前記注入水には浄化物質が添加され、
前記汚染土壌における前記浄化物質の濃度に応じて前記浄化物質の添加量を制御する第２制御装置を備えた、
請求項１に記載の土壌浄化システム。
【請求項３】
前記汚染土壌には硫酸還元菌が存在し、
前記注入水は過硫酸塩を含有する、請求項１又は請求項２に記載の土壌浄化システム。
【請求項４】
メモリと、
前記メモリに接続されたプロセッサと、を含み、
前記プロセッサは、
汚染土壌の温度を測定し、
前記汚染土壌の温度が所定温度以上かどうかを判定し、
判定結果に基づいて、前記汚染土壌へ注入する注入水の熱量を制御する、
土壌浄化システム。
【発明の詳細な説明】
【技術分野】
【０００１】
本開示は、土壌浄化システムに関する。
【背景技術】
【０００２】
下記特許文献１には、汚染土壌から揚水された地下水を温水にすること及び温水となった地下水を汚染土壌に注水することを含む土壌浄化方法が開示されている。温水となった地下水を汚染土壌に注水することで、汚染土壌の汚染物質が溶出し易くなり、浄化が促進される。
【先行技術文献】
【特許文献】
【０００３】
【特許文献１】特許第６１６３３４６号公報
【発明の概要】
【発明が解決しようとする課題】
【０００４】
上記特許文献１の土壌浄化方法においては、汚染土壌内の地下水の温度が徐々に上昇する。しかしながら、熱エネルギーを効率よく利用する観点からは、汚染土壌内の地下水の温度を管理し、過剰な加熱を抑制することが好ましい。
【０００５】
本開示は、汚染土壌内の地下水の温度を管理できる土壌浄化システムを提供することを目的とする。
【課題を解決するための手段】
【０００６】
本開示の第１態様の土壌浄化システムは、汚染土壌の温度より高温とされ前記汚染土壌を浄化する注入水を前記汚染土壌へ注入する注入井戸と、前記汚染土壌に前記注入井戸から離れて設けられ、前記地下水を揚水する揚水井戸と、前記汚染土壌の温度に応じて前記注入水の熱量を制御する第１制御装置と、を備えている。
【０００７】
第１態様の土壌浄化システムにおいては、汚染土壌へ、汚染土壌の温度より高温とされた注入水が注入される。これにより汚染土壌が効率よく浄化される。また、第１制御装置が、汚染土壌の温度に応じて、注入水の熱量を制御する。これにより汚染土壌の温度を管理し、熱エネルギーを効率よく利用できる。
【０００８】
本開示の第２態様の土壌浄化システムは、第１態様の土壌浄化システムにおいて、前記注入水には浄化物質が添加され、前記汚染土壌における前記浄化物質の濃度に応じて前記浄化物質の添加量を制御する第２制御装置を備えている。
【０００９】
第２態様の土壌浄化システムにおいては、注入水には浄化物質が添加される。これにより汚染土壌の浄化が促進される。また、第２制御装置が、汚染土壌における浄化物質の濃度に応じて、注入水への浄化物質の添加量を制御する。これにより汚染土壌における浄化物質の濃度を管理し、浄化物質を効率よく利用できる。
【００１０】
本開示の第３態様の土壌浄化システムは、第１態様又は第２態様の土壌浄化システムにおいて、前記汚染土壌には硫酸還元菌が存在し、前記注入水は過硫酸塩を含有する。
【００１１】
第３態様の土壌浄化システムにおいては、硫酸還元菌が存在する汚染土壌に対して、過硫酸塩を含む温水を注入し且つ揚水を行うことによって、比較的高温な状況下において有害物質のフラッシングと酸化分解と生物分解とを行うことができる。
【００１２】
本開示の第４態様の土壌浄化システムは、メモリと、前記メモリに接続されたプロセッサと、を含み、前記プロセッサは、汚染土壌の温度を測定し、前記汚染土壌の温度が所定温度以上かどうかを判定し、判定結果に基づいて、前記汚染土壌へ注入する注入水の熱量を制御する。
【００１３】
第４態様の土壌浄化システムは、プロセッサが地下水の温度が所定温度に達したかどうかを判定し、注入水の熱量を制御する。これにより汚染土壌内の地下水の温度を管理し、熱エネルギーを効率よく利用できる。
【発明の効果】
【００１４】
本開示によれば、汚染土壌内の地下水の温度を管理できる。
【図面の簡単な説明】
【００１５】
【図１】本開示の土壌浄化システムの一例を示す概略構成図である。
【図２】本開示の土壌浄化システムの別の一例を示す概略構成図である。
【図３】本開示の土壌浄化システムのさらに別の一例を示す概略構成図である。
【図４】本開示の土壌浄化システムのハードウェア構成を示すブロック図である。
【図５】本開示の土壌浄化システムにおける熱量制御方法の一例を示すフローチャートである。
【図６】本開示の土壌浄化システムにおける熱量制御方法の別の一例を示すフローチャートである。
【図７】本開示の土壌浄化システムにおける熱量制御方法のさらに別の一例を示すフローチャートである。
【図８】本開示の土壌浄化システムにおける過硫酸塩濃度制御方法の一例を示すフローチャートである。
【発明を実施するための形態】
【００１６】
以下に、本開示の土壌浄化システムについて説明する。これらの説明及び実施形態例は例示であり、本開示の土壌浄化システムの範囲は例示に制限されない。
【００１７】
本開示において「〜」を用いて示された数値範囲は、「〜」の前後に記載される数値をそれぞれ最小値及び最大値として含む範囲を示す。
【００１８】
本開示において組成物中の各成分の量又は濃度について言及する場合、組成物中に各成分に該当する物質が複数種存在する場合には、特に断らない限り、組成物中に存在する当該複数種の物質の合計量又は合計濃度を意味する。
【００１９】
＜土壌浄化システム＞
本開示の土壌浄化システム法は、汚染土壌を浄化するシステムであって、前記汚染土壌に硫酸還元菌が存在し、過硫酸塩を含有し前記汚染土壌の温度より高温の水を、注入井戸から前記汚染土壌に注入することと、前記注入井戸から離れて前記汚染土壌に設けられた揚水井戸から揚水することと、を含む。なお、過硫酸塩は本開示における浄化物質の一例である。
【００２０】
本開示の土壌浄化システムにおいて「汚染土壌の温度より高温」とは、本開示の土壌浄化システムを開始する前の浄化対象域の土壌温度を基準温度にし、当該基準温度よりも高い温度を意味する。汚染土壌は、例えば、地面からの深さ５ｍ〜２０ｍの領域に存在する。日本国内であれば、この深さの土壌温度はおよそ１５℃〜１７℃の範囲である。したがって、前記基準温度は、日本国内においては一般的には１５℃〜１７℃の範囲の１点である。
以下、前記基準温度より高温の水を「温水」といい、過硫酸塩を含有し前記基準温度より高温の水を「過硫酸塩を含む温水」という。
【００２１】
本開示の土壌浄化システムは、有害物質で汚染された汚染土壌を原位置で浄化するシステムである。
【００２２】
本開示の土壌浄化システムは、硫酸還元菌が存在する汚染土壌に対して、過硫酸塩を含む温水を注入し且つ揚水を行うことによって、比較的高温な状況下において有害物質のフラッシングと酸化分解と生物分解とを行う。
【００２３】
すなわち、本開示の土壌浄化システムにおいては下記の（１）〜（３）が行われる。
（１）温水の注入と揚水とによってフラッシングが行われる。
（２）温水に含まれる過硫酸塩が過硫酸イオン（Ｓ２Ｏ８２−）に解離し、過硫酸イオンが有害物質の少なくとも一部を酸化分解する。
（３）有害物質の酸化分解において生成した硫酸イオン（ＳＯ４２−）が硫酸還元菌を活性化し、硫酸還元菌が有害物質の少なくとも一部を生物分解する。
【００２４】
本開示の土壌浄化システムにおいては、汚染土壌に注入する水が過硫酸塩を含み且つ温水であるので比較的高温な状況下において上記（１）〜（３）が行われ、汚染土壌を効率的に浄化することができる。しかも、過硫酸塩に由来するイオンによって上記（２）及び（３）が連鎖するので、過硫酸塩のみの添加によって酸化分解と生物分解とが行われる。
【００２５】
過硫酸塩は、他の酸化剤（例えば、過マンガン酸塩、過酸化水素）に比較して反応性が低いゆえ注入箇所から遠くまで到達できる観点から有利である。過硫酸塩を温水に含有させて用いた場合、過硫酸塩の反応性を上げつつも、過硫酸塩の到達距離が大幅にそがれることはない。過硫酸塩を温水に含有させて用いる本開示の土壌浄化システムによれば、過硫酸塩を注入箇所から遠くまで届けながら、過硫酸塩の反応性を上げることができる。
【００２６】
［浄化対象となる有害物質］
本開示の土壌浄化システムの浄化対象となる有害物質は、特に制限されない。浄化対象となる有害物質としては、テトラクロロエチレン、トリクロロエチレン、ジクロロエチレン、クロロエチレン（塩化ビニル）、四塩化炭素、ジクロロメタン、トリクロロエタン、ジクロロエタン、ジクロロプロペン、クロロベンゼン、ベンゼン、トルエン、キシレン等の揮発性有機化合物；ガソリン、灯油、軽油、重油等の鉱油類：六価クロム及びその化合物、カドミウム及びその化合物、鉛及びその化合物、砒素及びその化合物、セレン及びその化合物等の重金属類；などが挙げられる。
【００２７】
［硫酸還元菌］
本開示の土壌浄化システムにおいては、浄化対象である汚染土壌に硫酸還元菌が存在することが好ましい。本開示の土壌浄化システムを開始する前において浄化対象域に硫酸還元菌が存在しない場合は、硫酸還元菌を浄化対象域に注入して、硫酸還元菌が存在する汚染土壌とすることができる。この場合、硫酸還元菌を浄化対象域に注入することは、過硫酸塩を含む温水に硫酸還元菌を添加する形態にて行われてもよく、過硫酸塩を含む温水の注入に先だって、硫酸還元菌を含む水（好ましくは温水）を汚染土壌に注入する形態にて行われてもよい。
【００２８】
すなわち、浄化対象域に存在する硫酸還元菌は、浄化対象域に元来いる硫酸還元菌でもよく、予め浄化対象域に注入した硫酸還元菌でもよく、過硫酸塩と共に浄化対象域に注入した硫酸還元菌でもよい。
【００２９】
硫酸還元菌としては、例えば、デスルホビブリオ属（Desulfovibrio）、デスルホバクター属（Desulfobacter）、デスルホバルブス属（Desulfobulbus）、デスルホコッカス属（Desulfococcus）、デスルホネマ属（Desulfonema）、デスルホサルシナ属（Desulfosarcina）、デスルホトマキュラム属（Desulfotomaculum）等の細菌が挙げられる。
【００３０】
［過硫酸塩を含む温水］
過硫酸塩を含む温水は、温水に過硫酸塩を添加して調製してもよく、過硫酸塩を含む水を加温して調製してもよい。過硫酸塩を含む温水を調製する水又は温水としては、例えば、原位置から採取した地下水、水道水、河川水が挙げられる。
【００３１】
過硫酸塩を含む温水は、人為的に加温した温水でもよいし、加温しないままの温水でもよい。例えば、水道水又は河川水が温水であれば、当該水道水又は河川水を用いて、加温を要せず、過硫酸塩を含む温水を調製することができる。
【００３２】
過硫酸塩を含む温水の温度は、浄化効率を向上させる観点から、前記基準温度よりも３℃以上高いことが好ましく、５℃以上高いことがより好ましく、８℃以上高いことが更に好ましい。
【００３３】
過硫酸塩を含む温水の温度は、浄化効率を向上させる観点から、１８℃以上であることが好ましく、２０℃以上であることがより好ましく、２５℃以上であることが更に好ましく、硫酸還元菌の活性を抑制しない観点と加温コストの観点から、６０℃以下であることが好ましく、５０℃以下であることがより好ましく、４０℃以下であることが更に好ましい。
【００３４】
詳しくは後述するが、過硫酸塩を含む温水の温度は、注入井戸から汚染土壌に注入する間、一定でもよく変動してもよく、本開示の土壌浄化システムによる土壌浄化が継続している間、一定でもよく変動してもよい。
【００３５】
本開示の土壌浄化システムにおいて使用される過硫酸塩としては、例えば、過硫酸リチウム、過硫酸ナトリウム、過硫酸カリウム、過硫酸マグネシウム、過硫酸カルシウム、過硫酸アンモニウム等が挙げられる。これら過硫酸塩は、１種類を単独で用いてもよいし、２種類以上を併用してもよい。
【００３６】
過硫酸塩を含む温水の過硫酸塩濃度は、特に制限されないが、浄化効率の観点から、１００〜１００，０００ｍｇ／Ｌが好ましく、５００〜５０，０００ｍｇ／Ｌがより好ましく、１，０００〜２０，０００ｍｇ／Ｌが更に好ましい。
【００３７】
詳しくは後述するが、過硫酸塩を含む温水の過硫酸塩濃度は、本開示の土壌浄化システムによる土壌浄化が継続している間、一定でもよく変動してもよい。
【００３８】
［界面活性剤］
本開示の土壌浄化システムは、フラッシングをより効率化する観点から、注入井戸から汚染土壌に界面活性剤を注入することを含むことが好ましい。界面活性剤は、本開示における浄化物質の一例である。
【００３９】
界面活性剤は、例えば、過硫酸塩を含む温水に添加する形態にて用いられたり、過硫酸塩を含む温水の注入の前後に界面活性剤を含む水（好ましくは温水）を汚染土壌に注入する形態にて用いられたりする。さらに、界面活性剤は、過硫酸塩を含まない温水に添加する形態にて用いることもできる。
【００４０】
界面活性剤としては、例えば、ポリオキシエチレンアルキルエーテル、グリセリン脂肪酸エステル、プロピレングリコール脂肪酸エステル、ソルビタン脂肪酸エステル、ポリオキシエチレンソルビタン脂肪酸エステル、テトラオレイン酸ポリオキシエチレンソルビット、ポリオキシエチレンポリオキシプロピレングリコール、ポリオキシエチレンポリオキシプロピレンアルキルエーテル、ポリエチレングリコール脂肪酸エステル、ポリオキシエチレンヒマシ油、ポリグリセリン脂肪酸エステル、アルキルグリコシド等のノニオン性界面活性剤；脂肪酸塩、ポリオキシアルキレンアルキルエーテル酢酸塩、アルキル硫酸塩、ポリオキシアルキレンアルキルエーテル硫酸塩、ポリオキシアルキレンアルキルアミドエーテル硫酸塩、モノグリセライド硫酸塩、オレフィンスルホン酸塩、アルカンスルホン酸塩、アシル化イセチオン酸塩、アシル化アミノ酸、アルキルリン酸塩、ポリオキシアルキレンアルキルエーテルリン酸塩等のアニオン性界面活性剤；が挙げられる。これら界面活性剤は、１種類を単独で用いてもよいし、２種類以上を併用してもよい。
【００４１】
［硫酸還元菌の栄養剤］
本開示の土壌浄化システムは、有害物質の生物分解をより効率化する観点から、硫酸還元菌の栄養剤を注入井戸から汚染土壌に注入してもよい。ただし、硫酸還元菌の栄養剤は、硫酸イオン（ＳＯ４２−）が硫酸還元菌を活性化することを妨げない範囲で用いる。硫酸還元菌の栄養剤は、本開示における浄化物質の一例である。
【００４２】
硫酸還元菌の栄養剤は、例えば、過硫酸塩を含む温水に添加する形態にて用いられたり、過硫酸塩を含む温水の注入の前後に硫酸還元菌の栄養剤を含む水（好ましくは温水）を汚染土壌に注入する形態にて用いられたりする。さらに、硫酸還元菌の栄養剤は、過硫酸塩を含まない温水に添加する形態にて用いることもできる。
【００４３】
硫酸還元菌の栄養剤としては、例えば、硝酸アンモニウム、第一リン酸カリウム、リン酸水素ナトリウム等が挙げられる。これら栄養剤は、１種類を単独で用いてもよいし、２種類以上を併用してもよい。
【００４４】
［土壌浄化システムの実施形態例］
次に図面を挙げて、本開示の土壌浄化システムをさらに説明する。以下に説明する実施形態は土壌浄化システムの一例であり、本開示の土壌浄化システムはこれに限定されるものではない。
【００４５】
図１は、水を循環しない実施形態である第一形態の構成を示す概略図である。図２、図３は、水を循環する実施形態である第二形態の構成を示す概略図である。図１、図２及び図３において矢印は水の流れを示している。
【００４６】
第一形態及び第二形態の浄化対象である汚染土壌６は帯水層にある。第一形態及び第二形態は帯水層を水が流れることを利用して汚染土壌６を浄化する。
【００４７】
第一形態及び第二形態において汚染土壌６には硫酸還元菌が存在する。
【００４８】
図１に示す第一形態は、過硫酸塩を含む温水を注入井戸１から汚染土壌６に注入することと、揚水井戸２から揚水することとを含む。第一形態は、さらに、揚水井戸２から揚水した地下水を水処理装置５で処理して有害物質を除くことと、有害物質を除いた地下水を排出することとを含む。なお、第一形態は、揚水井戸２から揚水した地下水を水処理装置５で処理して有害物質を除くことを含まなくてもよいが、含むことが望ましい。
【００４９】
第一形態において、注入井戸１から汚染土壌６に注入される過硫酸塩を含む温水は、水道水を加温装置３で加温すること、及び、加温した水道水に過硫酸塩添加槽４にて過硫酸塩を添加することにより調製される。
【００５０】
図２、図３に示す第二形態は、過硫酸塩を含む温水を注入井戸１から汚染土壌６に注入することと、揚水井戸２から揚水することとを含む。第二形態は、さらに、揚水井戸２から揚水した地下水を水処理装置５で処理して有害物質を除くことと、有害物質を除いた地下水から過硫酸塩を含む温水を調製することとを含む。
【００５１】
第二形態において、「最初に」注入井戸１から汚染土壌６に注入される過硫酸塩を含む温水は、下記の（ｉ）又は（ｉｉ）のいずれかの態様により調製される。
（ｉ）水道水を加温装置３で加温すること、及び、加温した水道水に過硫酸塩添加槽４にて過硫酸塩を添加すること（図２）。
（ｉｉ）揚水井戸２から揚水した地下水を水処理装置５で処理して有害物質を除くこと、有害物質を除いた地下水を加温装置３で加温すること、及び、加温した地下水に過硫酸塩添加槽４にて過硫酸塩を添加すること（図３）。
【００５２】
第一形態及び第二形態において、水道水の代わりに河川水を用いてもよい。
【００５３】
注入井戸１は、浄化対象域において、帯水層に届く深さに設置される。注入井戸１の上流側にはポンプＰ１が配置されており、ポンプＰ１の駆動により、過硫酸塩を含む温水が注入井戸１から汚染土壌６へ注入される。過硫酸塩を含む温水を注入井戸１から汚染土壌６に注入することは、連続的に行われてもよく、間欠的に行われてもよい。注入井戸１は、１本でもよく、複数本でもよい。
【００５４】
なお、ポンプＰ１は必ずしも設ける必要はない。例えば加温装置３、過硫酸塩添加槽４又は別途設けた貯留タンクと注入井戸１との水頭差による圧力で温水を汚染土壌６へ注入することができる。
【００５５】
揚水井戸２は、浄化対象域において、注入井戸１から離れた位置であって注入井戸１に対して地下水の流れの下流の位置に、帯水層に届く深さに設置される。揚水井戸２の上部にはポンプＰ２が配置されており、ポンプＰ２の駆動により地下水が揚水井戸２から揚水される。揚水井戸２から揚水することは、連続的に行われてもよく、間欠的に行われてもよい。揚水井戸２は、１本でもよく、複数本でもよい。
【００５６】
揚水井戸２の内部には温度センサー２ｂが配置されている。温度センサー２ｂは、後述する温度測定プログラムによって、揚水井戸２を流れる地下水の温度を測定する。温度センサー２ｂが測定する地下水の温度は、浄化対象域の土壌温度と等しい。すなわち、温度センサー２ｂは上述した基準温度を測定する。
【００５７】
また、揚水井戸２の内部には濃度センサー２ｃが配置されている。濃度センサー２ｃは、後述する濃度測定プログラムによって、揚水井戸２を流れる地下水の過硫酸塩濃度を測定する。濃度センサー２ｃが測定する地下水の過硫酸塩濃度は、浄化対象域の土壌における過硫酸塩濃度である。
【００５８】
なお、本実施形態においては温度センサー２ｂ、濃度センサー２ｃは揚水井戸２に設けられているが、本発明の実施形態はこれに限らない。例えば、注入井戸１と揚水井戸２との間に観測井戸（不図示）を設け、この観測井戸の内部に設けてもよい。
【００５９】
第一形態及び第二形態において、浄化対象域を取り囲む遮水壁を設けてもよく、その場合、遮水壁で囲まれた領域内に注入井戸１及び揚水井戸２を設置する。
【００６０】
加温装置３は、注入井戸１の上流に設けられる。加温装置３の内部にはヒーター等の加熱手段が配置されている。図１、２において加温装置３に接続された水道水注入経路には、温度センサー２ａが配置されている。温度センサー２ａは、後述する温度測定プログラムによって、水道水注入経路を流れる水道水の温度を測定する。なお、水道水に代えて河川水を用いる場合は、以下に示す「水道水」の用語を「河川水」と読み替えるものとする。
【００６１】
加温装置３、ポンプＰ１、ポンプＰ２、温度センサー２ａ及び温度センサー２ｂは、制御装置７と電気的に接続されている。詳しくは後述するが、制御装置７は、温度センサー２ｂが測定する汚染土壌の温度（以下、「土壌温度」と称す）、又は、温度センサー２ａが測定する水道水の温度及び温度センサー２ｂが測定する土壌温度に応じて、加温装置３、又は、加温装置３及びポンプＰ１を制御する。これにより制御装置７は、注入水（すなわち注入井戸１から汚染土壌６へ注入される過硫酸塩を含む温水）の熱量を制御する。        
【００６２】
過硫酸塩添加槽４は、注入井戸１の上流に設けられる。過硫酸塩添加槽４は、加温装置３の上流に設けられてもよいが、加温された水の方が過硫酸塩を溶解しやすい観点から、加温装置３の下流に設けられることが好ましい。
【００６３】
過硫酸塩添加槽４において、過硫酸塩を含む温水に硫酸還元菌をさらに添加してもよい。過硫酸塩添加槽４において、過硫酸塩を含む温水に界面活性剤及び硫酸還元菌の栄養剤の少なくとも一方をさらに添加してもよい。過硫酸塩添加槽４において、過硫酸塩を含む温水にｐＨ調製剤をさらに添加してもよい。
【００６４】
過硫酸塩添加槽４は、制御装置７と電気的に接続されている。詳しくは後述するが、制御装置７は、濃度センサー２ｃが測定する汚染土壌における過硫酸塩濃度に応じて、過硫酸塩添加槽４、又は、過硫酸塩添加槽４及びポンプＰ１を制御する。これにより制御装置７は、注入水（すなわち注入井戸１から汚染土壌６へ注入される過硫酸塩を含む温水）における過硫酸塩濃度を制御する。
【００６５】
なお、本実施形態において、制御装置７は温度センサー２ａ、温度センサー２ｂ、濃度センサー２ｃ、加温装置３及び過硫酸塩添加槽４と電気的に接続されているが、本開示の実施形態はこれに限らない。例えば制御装置７は、温度センサー２ａ、温度センサー２ｂ及び加温装置３に接続された第１制御装置と、濃度センサー２ｃ及び過硫酸塩添加槽４に接続された第２制御装置と、に分けて形成してもよい。
【００６６】
また、本開示の本実施形態においては、必ずしも注入水における過硫酸塩濃度を制御する必要はない。過硫酸塩濃度を制御しない場合は、揚水井戸２の内部に濃度センサー２ｃを設ける必要はない。
【００６７】
さらに、本開示の本実施形態においては、必ずしも注入水に過硫酸塩を添加する必要はない。この場合、浄化物質として界面活性剤、硫酸還元菌の栄養剤等を添加することが好適である。この場合、過硫酸塩添加槽４に代えて、界面活性剤添加槽や栄養剤添加槽を適宜設けることができる。
【００６８】
またさらに、浄化物質は注入水に添加しなくてもよい。浄化物質を添加しなくても、土壌温度より高温の注入水を汚染土壌へ注入することで、汚染土壌の汚染物質が溶出し易くなる。なお、浄化物質として界面活性剤、硫酸還元菌の栄養剤等を添加する場合は、以下の説明における「過硫酸塩」の用語を、適宜「界面活性剤」、「栄養剤」等と読み替えるものとする。
【００６９】
水処理装置５は、揚水井戸２の下流に設けられる。水処理装置５において地下水から有害物質を除去する方法としては、例えば、有害物質の沈殿、有害物質の無害化、有害物質の気化及び脱気が挙げられる。
【００７０】
第一形態において、水処理装置５において有害物質が除去された地下水は、水処理装置５の外部へ排水される。第二形態において、水処理装置５において有害物質が除去された地下水は、循環水として加温装置３へ送られる。
【００７１】
第一形態及び第二形態において、注入井戸１から注入された過硫酸塩を含む温水は、汚染土壌６を流れる間に有害物質を汚染土壌６から遊離させる。また、過硫酸塩を含む温水に含まれる過硫酸塩が過硫酸イオンに解離し、過硫酸イオンが有害物質の少なくとも一部を酸化分解する。さらに、有害物質の酸化分解において生成した硫酸イオンが汚染土壌６に存在する硫酸還元菌を活性化し、硫酸還元菌が有害物質の少なくとも一部を生物分解する。
【００７２】
［土壌浄化システムの実施形態例］
＜システム構成＞
制御装置７は、図４に示すようにＣＰＵ７２（Ｃｅｎｔｒａｌ  Ｐｒｏｃｅｓｓｉｎｇ  Ｕｎｉｔ：プロセッサ）、ＲＯＭ７４（Ｒｅａｄ  Ｏｎｌｙ  Ｍｅｍｏｒｙ）、ＲＡＭ７６（Ｒａｎｄｏｍ  Ａｃｃｅｓｓ  Ｍｅｍｏｒｙ）及びストレージ７８を有する。制御装置７におけるこれらの各構成と、温度センサー２ａ、温度センサー２ｂ、濃度センサー２ｃ、加温装置３、過硫酸塩添加槽４、ポンプＰ１及びポンプＰ２は、バス９０を介して相互に通信可能に接続されている。
【００７３】
ＣＰＵ７２は、中央演算処理ユニットであり、各種プログラムを実行したり、各部を制御したりする。すなわち、ＣＰＵ７２は、ＲＯＭ７４またはストレージ７８からプログラムを読み出し、ＲＡＭ７６を作業領域としてプログラムを実行する。ＣＰＵ７２は、ＲＯＭ７４又はストレージ７８に記録されているプログラムにしたがって、上記各構成の制御および各種の演算処理を行う。本実施形態では、ＲＯＭ７４又はストレージ７８には、以下の各プログラムが格納されている。
【００７４】
・温度センサー２ａ及び温度センサー２ｂに温度を測定させる温度測定プログラム
・濃度センサー２ｃに過硫酸塩の濃度を測定させる濃度測定プログラム
・土壌温度が所定温度以上かどうかを判定させる温度判定プログラム
・汚染土壌の過硫酸塩濃度が所定濃度以上かどうかを判定させる濃度判定プログラム
・加温装置３、又は、加温装置３及びポンプＰ１を制御する熱量制御プログラム
・過硫酸塩添加槽４、又は、過硫酸塩添加槽４及びポンプＰ１を制御する濃度制御プログラム
【００７５】
ＲＯＭ７４は、各種プログラムおよび各種データを格納する。ＲＡＭ７６は、作業領域として一時的にプログラムまたはデータを記憶する。ストレージ７８は、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）により構成され、オペレーティングシステムを含む各種プログラム、および各種データを格納する。
【００７６】
上記の各種プログラムを実行する際に、制御装置７は、上記のハードウェア資源を用いて、各種の機能を実現する。具体的には、ＣＰＵ７２がＲＯＭ７４又はストレージ７８から温度測定プログラムを読み出して、ＲＡＭ７６に展開して実行することにより、温度測定処理が行なわれる。同様に、ＣＰＵ７２がＲＯＭ７４又はストレージ７８から濃度測定プログラムを読み出して、ＲＡＭ７６に展開して実行することにより、濃度測定処理が行なわれる。また、ＣＰＵ７２がＲＯＭ７４又はストレージ７８から温度判定プログラムを読み出して、ＲＡＭ７６に展開して実行することにより、温度判定処理が行なわれる。また、ＣＰＵ７２がＲＯＭ７４又はストレージ７８から濃度判定プログラムを読み出して、ＲＡＭ７６に展開して実行することにより、濃度判定処理が行なわれる。また、ＣＰＵ７２がＲＯＭ７４又はストレージ７８から熱量制御プログラムを読み出して、ＲＡＭ７６に展開して実行することにより、熱量制御処理が行なわれる。また、ＣＰＵ７２がＲＯＭ７４又はストレージ７８から濃度制御プログラムを読み出して、ＲＡＭ７６に展開して実行することにより、濃度制御処理が行なわれる。
【００７７】
＜熱量制御フロー＞
以下の説明においては、上述した第一形態、第二形態における各態様（ｉ）、（ｉｉ）に係る土壌浄化システムのそれぞれについて、制御装置７による注入水の熱量制御フローを説明する。
【００７８】
（第一形態）
第一形態に係る土壌浄化システムにおいては、図１に示すように、注入井戸１から汚染土壌６に注入される温水は、水道水を加温装置３で加温することを含んで調製される。
【００７９】
図５には、第一形態に係る土壌浄化システムにおいて注入水の「熱量制御」を実行する土壌浄化システムの制御フローが示されている。
【００８０】
この土壌浄化システムにおいては、まず、ステップＳ１００で、ＣＰＵ７２が温度測定プログラムを読み出すことで、温度センサー２ａが水道水温度（Ａ℃）を測定し、温度センサー２ｂが土壌温度（Ｂ℃）を測定する。これらの温度が測定されたら、ステップＳ１０２へ移行する。
【００８１】
ステップＳ１０２では、ＣＰＵ７２が温度判定プログラムを読み出すことで、ステップＳ１００で測定された土壌温度（Ｂ℃）が所定の目標温度（Ｅ℃）より低いかどうかが判定される。
【００８２】
ステップＳ１０２で土壌温度（Ｂ℃）が目標温度（Ｅ℃）より低いと判定された場合、ステップＳ１０４へ移行する。一方、ステップＳ１０２で土壌温度（Ｂ℃）が目標温度（Ｅ℃）以上と判定された場合、すなわち土壌温度が既に目標温度に達している場合、汚染土壌６への注入水の注入は行なわない。
【００８３】
ステップＳ１０４では、水道水温度（Ａ℃）が目標温度（Ｅ℃）より高いかどうかを判定する（ステップＳ１０４）。
【００８４】
ステップＳ１０４で水道水温度（Ａ℃）が目標温度（Ｅ℃）より高いと判定された場合、ステップＳ１０６へ移行する。一方、ステップＳ１０４で水道水温度（Ａ℃）が目標温度（Ｅ℃）以下と判定された場合、ステップＳ１０８へ移行する。
【００８５】
ステップＳ１０６では、ＣＰＵ７２が熱量制御プログラムを読み出すことでポンプＰ１を制御して、土壌へ加温していない水道水を注入する。すなわち、水道水温度（Ａ℃）が目標温度（Ｅ℃）より高いため、加温していない水道水を注入しても、土壌温度を高くすることができる。ステップＳ１０６の次は、ステップＳ１１０へ移行する。
【００８６】
ステップＳ１０８では、ＣＰＵ７２が熱量制御プログラムを読み出すことで加温装置３を制御し、汚染土壌６へ加温された水道水を注入する。すなわち、加温装置３を制御することで、所定温度（Ｃ℃）に加熱された水道水が汚染土壌６へ注入される。この所定温度（Ｃ℃）は、目標温度（Ｅ℃）より高く設定する。
【００８７】
具体的には、熱量制御プログラムによって、単位時間毎にポンプＰ１が汚染土壌６へ注入する水道水の体積と、所定温度（Ｃ℃）及び水道水温度（Ａ℃）と、に基づいて加温に必要な熱量が算出される。この算出された熱量に応じて、加温装置３が制御される。これにより、所定温度（Ｃ℃）に加温された水道水が、土壌へ注入される。ステップＳ１０８の次は、ステップＳ１１０へ移行する。
【００８８】
なお、ステップＳ１０８において、熱量制御プログラムは、加温装置３に加えてポンプＰ１を制御することもできる。例えばポンプＰ１を制御して単位時間毎に汚染土壌６へ注入する水道水の体積を大きくし、かつ、加温装置３を制御して当該水道水を所定温度（Ｃ℃）に加温することで、汚染土壌６の加温スピードを向上できる。
【００８９】
また、ポンプＰ２は、ポンプＰ１によって汚染土壌６へ注入される注入水の量と同量の地下水を揚水するように制御される。但し、地下水位を高くしたい場合や低くしたい場合等は、適宜ポンプＰ２による揚水量は適宜変更することができる。
【００９０】
ステップＳ１１０では、ＣＰＵ７２が温度判定プログラムを読み出すことで、温度センサー２ｂが土壌温度（Ｄ℃）を測定する。この温度が測定されたら、ステップＳ１１２へ移行する。
【００９１】
ステップＳ１１２では、ＣＰＵ７２が温度判定プログラムを読み出すことで、ステップＳ１１０で測定された土壌温度（Ｄ℃）が目標温度（Ｅ℃）以上かどうか（目標温度に到達したかどうか）が判定される。
【００９２】
ステップＳ１１２で土壌温度（Ｄ℃）が目標温度（Ｅ℃）以上と判定された場合、注入水の注入を終了する。一方、土壌温度（Ｄ℃）が目標温度（Ｅ℃）より低いと判定された場合、ステップＳ１０４へ戻り、ステップＳ１０６、Ｓ１０８以降のステップを繰り返す。
【００９３】
（第二形態：態様（ｉ））
第二形態に係る土壌浄化システムにおいては、図２、図３に示すように、注入井戸１から汚染土壌６に注入される温水は、揚水井戸２から揚水した地下水（以下「循環水」と称す）を、加温装置３で加温することを含んで調整される。
【００９４】
さらに第二形態の態様（ｉ）においては、図２に示すように、「最初に」注入井戸１から汚染土壌６に注入される温水は、水道水を加温装置３で加温して調整される。
【００９５】
図６には、第二形態の態様（ｉ）に係る土壌浄化システムにおいて注入水の「熱量制御」を実行する制御フローが示されている。
【００９６】
この土壌浄化システムにおけるステップＳ１００〜ステップＳ１１２は、図５に示した第一形態に係る土壌浄化システムと同様である。すなわち、第二形態の態様（ｉ）において、「最初に」注入井戸１から汚染土壌６に注入される温水における熱量制御方法は、第一形態と同様である。
【００９７】
第二形態の態様（ｉ）においては、ステップＳ１１２で土壌温度（Ｄ℃）が目標温度（Ｅ℃）以上と判定された場合、注入水の注入を終了する。一方、土壌温度（Ｄ℃）が目標温度（Ｅ℃）より低いと判定された場合、ステップＳ１１４へ移行する。
【００９８】
ステップＳ１１４では、ＣＰＵ７２が熱量制御プログラムを読み出すことで加温装置３を制御し、汚染土壌６へ加温された「循環水」を注入する。すなわち、加温装置３を制御することで、所定温度（Ｆ℃）に加熱された循環水が汚染土壌６へ注入される。この所定温度（Ｆ℃）は、目標温度（Ｅ℃）より高く設定する。
【００９９】
具体的には、熱量制御プログラムによって、単位時間毎にポンプＰ１が汚染土壌６へ注入する循環水の体積と、所定温度（Ｆ℃）及び土壌温度（Ｄ℃）と、に基づいて加温に必要な熱量が算出される。この算出された熱量に応じて、加温装置３、又は、加温装置３及びポンプＰ１の双方が制御される。これにより、所定温度（Ｆ℃）に加温された循環水が、汚染土壌６へ注入される。ステップＳ１１４の次は、ステップＳ１１０へ戻り、以降のステップを繰り返す。
【０１００】
なお、第二形態の態様（ｉ）においては、最初に汚染土壌６に注入される水道水はポンプＰ１を用いて注入井戸１へ送られ、揚水井戸２から揚水された循環水はポンプＰ２を用いて加温装置３へ送られ、その後、ポンプＰ１を用いて注入井戸１へ送られる。なお、注入井戸１へ送る注入水の、水道水から循環水への切替えは、図示しないバルブなどを用いて適宜ＣＰＵ７２が実行するものとする。
【０１０１】
（第二形態：態様（ｉｉ））
第二形態の態様（ｉｉ）においては、図３に示すように、「最初に」注入井戸１から汚染土壌６に注入される温水は、揚水井戸２から揚水した循環水を加温装置３で加温して調整される。
【０１０２】
図７には、第二形態の態様（ｉｉ）に係る土壌浄化システムにおいて注入水の「熱量制御」を実行する制御フローが示されている。
【０１０３】
この土壌浄化システムにおいては、まず、ステップＳ１２０で、ＣＰＵ７２が温度測定プログラムを読み出すことで、温度センサー２ｂが土壌温度（Ｂ℃）を測定し、ステップＳ１２２へ移行する。
【０１０４】
ステップＳ１２２では、ＣＰＵ７２が温度判定プログラムを読み出すことで、ステップＳ１００で測定された土壌温度（Ｂ℃）が所定の目標温度（Ｅ℃）より低いかどうかが判定される。
【０１０５】
ステップＳ１２２で土壌温度（Ｂ℃）が目標温度（Ｅ℃）より低いと判定された場合、ステップＳ１２８へ移行する。一方、ステップＳ１２２で土壌温度（Ｂ℃）が目標温度（Ｅ℃）以上と判定された場合、すなわち土壌温度が既に目標温度に達している場合、汚染土壌６への注入水の注入は行なわない。
【０１０６】
ステップＳ１２８では、ＣＰＵ７２が熱量制御プログラムを読み出すことで加温装置３を制御し、汚染土壌６へ加温された循環水を注入する。すなわち、加温装置３を制御することで、所定温度（Ｃ℃）に加熱された循環水が汚染土壌６へ注入される。この所定温度（Ｃ℃）は、目標温度（Ｅ℃）より高く設定する。
【０１０７】
具体的には、熱量制御プログラムによって、単位時間毎にポンプＰ１が汚染土壌６へ注入する循環水の体積と、所定温度（Ｃ℃）及び土壌温度（Ｂ℃）と、に基づいて加温に必要な熱量が算出される。この算出された熱量に応じて、加温装置３が制御される。これにより、所定温度（Ｃ℃）に加温された循環水が、土壌へ注入される。ステップＳ１２８の次は、ステップＳ１３０へ移行する。
【０１０８】
なお、熱量制御プログラムでは、ステップＳ１２８において、加温装置３に加えてポンプＰ１を制御することもできる。例えばポンプＰ１を制御して単位時間毎に汚染土壌６へ注入する水道水の体積を大きくし、かつ、加温装置３を制御して当該水道水を所定温度（Ｃ℃）に加温することで、汚染土壌６の加温スピードを向上できる。
【０１０９】
ステップＳ１３０では、ＣＰＵ７２が温度判定プログラムを読み出すことで、温度センサー２ｂが土壌温度（Ｄ℃）を測定する。この温度が測定されたら、ステップＳ１３２へ移行する。
【０１１０】
ステップＳ１３２では、ＣＰＵ７２が温度判定プログラムを読み出すことで、ステップＳ１３０で測定された土壌温度（Ｄ℃）が目標温度（Ｅ℃）以上かどうか（目標温度に到達したかどうか）が判定される。
【０１１１】
ステップＳ１３２で土壌温度（Ｄ℃）が目標温度（Ｅ℃）以上と判定された場合、注入水の注入を終了する。一方、土壌温度（Ｄ℃）が目標温度（Ｅ℃）より低いと判定された場合、ステップＳ１３４へ移行する。
【０１１２】
ステップＳ１３４では、ＣＰＵ７２が熱量制御プログラムを読み出すことで加温装置３を制御し、汚染土壌６へ加温された循環水を注入する。すなわち、加温装置３を制御することで、所定温度（Ｆ℃）に加熱された循環水が汚染土壌６へ注入される。この所定温度（Ｆ℃）は、目標温度（Ｅ℃）より高く設定する。
【０１１３】
具体的には、熱量制御プログラムによって、単位時間毎にポンプＰ１が汚染土壌６へ注入する循環水の体積と、所定温度（Ｆ℃）及び土壌温度（Ｄ℃）と、に基づいて加温に必要な熱量が算出される。この算出された熱量に応じて、加温装置３、又は、加温装置３及びポンプＰ１の双方が制御される。これにより、所定温度（Ｆ℃）に加温された循環水が、汚染土壌６へ注入される。ステップＳ１３４の次は、ステップＳ１３０へ戻り、以降のステップを繰り返す。
【０１１４】
＜過硫酸塩濃度制御フロー＞
以下の説明においては、上述した第一形態、第二形態における各態様（ｉ）、（ｉｉ）に係る土壌浄化システムに組合わせて用いられる、制御装置７による注入水の過硫酸塩濃度制御フローを説明する。
【０１１５】
図８には、注入水の「過硫酸塩濃度制御」を実行する土壌浄化システムの制御フローが示されている。
【０１１６】
この土壌浄化システムにおいては、まず、ステップＳ１４０で、ＣＰＵ７２が濃度測定プログラムを読み出すことで、濃度センサー２ｃが汚染土壌における過硫酸塩濃度（Ｂｍｇ／Ｌ）を測定し、ステップＳ１４２へ移行する。なお、以下の説明においては、「汚染土壌における過硫酸塩濃度」を「土壌濃度」と称す。
【０１１７】
ステップＳ１４２では、ＣＰＵ７２が濃度判定プログラムを読み出すことで、ステップＳ１４０で測定された土壌濃度（Ｂｍｇ／Ｌ）が所定の目標濃度（Ｅｍｇ／Ｌ）より低いかどうかが判定される。
【０１１８】
ステップＳ１４２で土壌濃度（Ｂｍｇ／Ｌ）が目標濃度（Ｅｍｇ／Ｌ）より低いと判定された場合、ステップＳ１４８へ移行する。一方、ステップＳ１４２で土壌濃度（Ｂｍｇ／Ｌ）が目標濃度（Ｅｍｇ／Ｌ）以上と判定された場合、すなわち土壌濃度が既に目標濃度に達している場合、汚染土壌６への注入水の注入は行なわない。
【０１１９】
ステップＳ１４８では、ＣＰＵ７２が濃度制御プログラムを読み出すことで過硫酸塩添加槽４を制御し、汚染土壌６へ過硫酸塩が添加された注入水を注入する。すなわち、過硫酸塩添加槽４を制御することで、所定濃度（Ｃｍｇ／Ｌ）に調整された注入水が汚染土壌６へ注入される。この所定濃度（Ｃｍｇ／Ｌ）は、目標濃度（Ｅｍｇ／Ｌ）より高く設定する。
【０１２０】
具体的には、濃度制御プログラムによって、単位時間毎にポンプＰ１が汚染土壌６へ注入する注入水の体積と、所定濃度（Ｃｍｇ／Ｌ）及び土壌濃度（Ｂｍｇ／Ｌ）と、に基づいて必要な過硫酸塩の添加量が算出される。この算出された添加量に応じて、過硫酸塩添加槽４が制御される。これにより、所定濃度（Ｃｍｇ／Ｌ）の過硫酸塩を含む注入水が、土壌へ注入される。ステップＳ１４８の次は、ステップＳ１５０へ移行する。
【０１２１】
なお、ステップＳ１４８における「注入水」とは、第一形態及び第二形態の態様（ｉ）における「水道水」を示し、第二形態の態様（ｉｉ）における「循環水」を示している。
【０１２２】
また、濃度制御プログラムでは、ステップＳ１４８において、過硫酸塩添加槽４に加えてポンプＰ１（及びポンプＰ２）を制御することもできる。例えばポンプＰ１を制御して単位時間毎に汚染土壌６へ注入する注入水の体積を大きくし、かつ、過硫酸塩添加槽４を制御して当該注入水を所定濃度（Ｃｍｇ／Ｌ）とすることで、汚染土壌６の加温スピードを向上できる。
【０１２３】
ステップＳ１５０では、ＣＰＵ７２が濃度判定プログラムを読み出すことで、濃度センサー２ｃが土壌濃度（Ｄｍｇ／Ｌ）を測定する。この温度が測定されたら、ステップＳ１５２へ移行する。
【０１２４】
ステップＳ１５２では、ＣＰＵ７２が濃度判定プログラムを読み出すことで、ステップＳ１５０で測定された土壌濃度（Ｄｍｇ／Ｌ）が目標濃度（Ｅｍｇ／Ｌ）以上かどうか（目標濃度に到達したかどうか）が判定される。
【０１２５】
ステップＳ１５２で土壌濃度（Ｄｍｇ／Ｌ）が目標濃度（Ｅｍｇ／Ｌ）以上と判定された場合、注入水の注入を終了する。一方、土壌濃度（Ｄｍｇ／Ｌ）が目標濃度（Ｅｍｇ／Ｌ）より低いと判定された場合、ステップＳ１５４へ移行する。
【０１２６】
ステップＳ１５４では、ＣＰＵ７２が濃度制御プログラムを読み出すことで過硫酸塩添加槽４を制御し、汚染土壌６へ過硫酸塩が添加された注入水を注入する。すなわち、過硫酸塩添加槽４を制御することで、所定濃度（Ｆｍｇ／Ｌ）の過硫酸塩を含む注入水が汚染土壌６へ注入される。この所定濃度（Ｆｍｇ／Ｌ）は、目標濃度（Ｅｍｇ／Ｌ）より高く設定する。
【０１２７】
具体的には、濃度制御プログラムによって、単位時間毎にポンプＰ１が汚染土壌６へ注入する注入水の体積と、所定濃度（Ｆｍｇ／Ｌ）及び土壌濃度（Ｄｍｇ／Ｌ）と、に基づいて必要な過硫酸塩の添加量が算出される。この算出された添加量に応じて、過硫酸塩添加槽４、又は、過硫酸塩添加槽４及びポンプＰ１の双方が制御される。これにより、所定濃度（Ｆｍｇ／Ｌ）に加温された注入水が、汚染土壌６へ注入される。ステップＳ１５４の次は、ステップＳ１５０へ戻り、以降のステップを繰り返す。
【０１２８】
なお、ステップＳ１５４における「注入水」とは、第一形態における「水道水」を示し、第二形態の態様（ｉ）、（ｉｉ）における「循環水」を示している。
【０１２９】
＜熱量制御と過硫酸塩濃度制御の組み合わせ＞
図５、図６、図７を用いて説明した熱量制御は、それぞれ単独で実行することができる。一方、図８を用いて説明した過硫酸塩濃度制御は、図５、図６、図７を用いて説明した熱量制御と組合わせて実行される。以下の説明においては、熱量制御と過硫酸塩濃度制御とを組合わせて実行する複数の例について説明する。
【０１３０】
一例として、図５、図６のステップＳ１０２及び図７のステップＳ１２２において、土壌温度（Ｂ℃）が目標温度（Ｅ℃）以上と判定された場合、汚染土壌６への注入水の注入は行なわないものとしたが、本開示の実施形態はこれに限らない。例えば図８のステップＳ１４０へ移行して、過硫酸塩濃度を制御してもよい。
【０１３１】
別の一例として、図５、図６のステップＳ１１２及び図７のステップＳ１３２において、土壌温度（Ｄ℃）が目標温度（Ｅ℃）以上と判定された場合、汚染土壌６への注入水の注入を終了するものとしたが、本開示の実施形態はこれに限らない。例えば図８のステップＳ１４０へ移行して、過硫酸塩濃度を制御してもよい。
【０１３２】
また別の一例として、図８のステップＳ１４２で土壌濃度（Ｂｍｇ／Ｌ）が目標濃度（Ｅｍｇ／Ｌ）以上と判定された場合、汚染土壌６への注入水の注入は行なわないものとしたが、本開示の実施形態はこれに限らない。例えば図５、図６のステップＳ１００又は図７のステップＳ１２０へ移行して熱量制御してもよい。
【０１３３】
同様に、図８のステップＳ１５２で土壌濃度（Ｄｍｇ／Ｌ）が目標濃度（Ｅｍｇ／Ｌ）以上と判定された場合、汚染土壌６への注入水の注入を終了ものとしたが、本開示の実施形態はこれに限らない。例えば図５、図６のステップＳ１００又は図７のステップＳ１２０へ移行して熱量制御してもよい。
【０１３４】
なお、上記実施形態でＣＰＵがソフトウェア（プログラム）を読み込んで実行した温度測定処理、濃度測定処理、温度判定処理、濃度判定処理、熱量制御処理及び濃度制御処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、情報取得処理、決定処理、情報表示処理及び送信処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１３５】
また、上記各実施形態では、画像送信プログラム、画像配信プログラムおよび画像表示プログラムがＲＯＭ又はストレージに予め記憶（インストール）されている態様を説明したが、これに限定されない。プログラムは、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。このように、本開示は様々な態様で実施できる。
【符号の説明】
【０１３６】
１    注入井戸
２    揚水井戸
３    加温装置
４    過硫酸塩添加槽
５    水処理装置
６    汚染土壌
７    制御装置（第１制御装置、第２制御装置）
７２  ＣＰＵ（プロセッサ）
７６  ＲＡＭ（メモリ）
【図１】
2020093225.tif 000003
【図２】
2020093225.tif 000004
【図３】
2020093225.tif 000005
【図４】
2020093225.tif 000006
【図５】
2020093225.tif 000007
【図６】
2020093225.tif 000008
【図７】
2020093225.tif 000009
【図８】
2020093225.tif 000010